Podtech/llm-jp-corpus-v4-ja_patent huggingface dataset:
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
電池を電源として駆動するモーターと、
前記モーターの駆動力を伝達し、樹脂材料で構成された歯車本体と、導電性ポリマーを含む材料で構成され、前記歯車本体の外表面に設けられる導電層と、を有する第１歯車と、
前記モーターの駆動力を伝達し、金属材料で構成された第２歯車と、を備えることを特徴とするムーブメント。
【請求項２】
前記第１歯車および前記第２歯車を支持する輪列受けを有し、
前記輪列受けは、導電性を有する請求項１に記載のムーブメント。
【請求項３】
前記第１歯車および前記第２歯車を支持する地板を有し、
前記地板は、導電性を有する請求項１または２に記載のムーブメント。
【請求項４】
前記導電性ポリマーは、ポリチオフェン、ポリアセチレン、ポリアニリン、ポリパラフェニレン、ポリパラフェニレンビニレンからなる群より選択される材料に不純物をドーピングしたものである請求項１ないし３のいずれか１項に記載のムーブメント。
【請求項５】
前記第１歯車は、前記第２歯車と噛合している請求項１ないし４のいずれか１項に記載のムーブメント。
【請求項６】
前記歯車本体は、歯を有し、
前記導電層は、前記歯の歯面に設けられている請求項５に記載のムーブメント。
【請求項７】
前記歯車本体は、主面を有し、
前記導電層は、前記歯車本体の主面に設けられている請求項１ないし６のいずれか１項に記載のムーブメント。
【請求項８】
前記第１歯車は、前記モーターの回転軸に固定された歯車と噛合している請求項１ないし７のいずれか１項に記載のムーブメント。
【請求項９】
互いに噛合する複数の前記第１歯車を有する請求項１ないし８のいずれか１項に記載のムーブメント。
【請求項１０】
前記第２歯車は、前記第１歯車よりも従動側に位置している請求項１ないし９のいずれか１項に記載のムーブメント。
【請求項１１】
前記第２歯車に秒針が固定されている請求項１ないし１０のいずれか１項に記載のムーブメント。
【請求項１２】
電池と、
前記電池の電力で駆動されるモーターと、
前記モーターの駆動力を伝達する第１歯車および第２歯車であって、樹脂材料で構成された歯車本体と導電性ポリマーを含む材料で構成され、前記歯車本体の外表面に設けられる導電層とを有する前記第１歯車と、金属材料で構成された前記第２歯車と、
前記電池、前記モーター、前記第１歯車および前記第２歯車を収納するケーシングと、を備えることを特徴とする時計。
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
電池を電源として駆動するモーターと、
前記モーターの駆動力を伝達し、樹脂材料で構成された歯車本体と、金属材料で構成され、前記歯車本体の外表面に設けられた金属層と、を有する第１歯車と、
前記モーターの駆動力を伝達し、金属材料で構成された第２歯車と、を備えることを特徴とするムーブメント。
【請求項２】
前記第１歯車および前記第２歯車を支持する輪列受けを有し、
前記輪列受けは、導電性を有する請求項１に記載のムーブメント。
【請求項３】
前記第１歯車および前記第２歯車を支持する地板を有し、
前記地板は、導電性を有する請求項１または２に記載のムーブメント。
【請求項４】
前記金属材料は、ニッケル、スズ、クロムから選択される材料を含む単体または合金である請求項１ないし３のいずれか１項に記載のムーブメント。
【請求項５】
前記第１歯車は、前記第２歯車と噛合している請求項１ないし４のいずれか１項に記載のムーブメント。
【請求項６】
前記歯車本体は、歯を有し、
前記金属層は、前記歯の歯面に設けられている請求項５に記載のムーブメント。
【請求項７】
前記歯車本体は、主面を有し、
前記金属層は、前記歯車本体の主面に設けられている請求項１ないし６のいずれか１項に記載のムーブメント。
【請求項８】
前記第１歯車は、前記モーターの回転軸に固定された歯車と噛合している請求項１ないし７のいずれか１項に記載のムーブメント。
【請求項９】
互いに噛合する複数の前記第１歯車を有する請求項１ないし８のいずれか１項に記載のムーブメント。
【請求項１０】
前記第２歯車は、前記第１歯車よりも従動側に位置している請求項１ないし９のいずれか１項に記載のムーブメント。
【請求項１１】
前記第２歯車に秒針が固定されている請求項１ないし１０のいずれか１項に記載のムーブメント。
【請求項１２】
電池と、
前記電池を電源として駆動するモーターと、
前記モーターの駆動力を伝達し、樹脂材料で構成された歯車本体と、金属材料で構成され、前記歯車本体の外表面に設けられた金属層と、を有する第１歯車と、
前記モーターの駆動力を伝達し、金属材料で構成された第２歯車と、
前記電池、前記モーター、前記第１歯車および前記第２歯車を収納するケーシングと、を備えることを特徴とする時計。
【手続補正２】
【補正対象書類名】明細書
【補正対象項目名】００９１
【補正方法】変更
【補正の内容】
【００９１】
このように、輪列ユニット９では、小歯車９１２（第１歯車）は、金属歯車９３（第２
歯車）と噛合している。そして、小歯車９１２は、金属歯車９３の歯９３１と噛合する歯
９１３の歯面９１２Ｃに設けられている被覆層９００によって被覆されている。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
音声データに基づいて認識された文章データを複数のテキスト単位に分割する分割部と、
分割された前記複数のテキスト単位のうち、何れかのテキスト単位の指定が入力装置を介して入力された場合、指定されたテキスト単位を修正対象として特定する特定部と、
前記指定されたテキスト単位を修正可能な状態で表示装置に表示する表示制御部と、
前記指定されたテキスト単位に対する修正を前記文章データに反映する修正部と、
を備えるテキスト修正装置。
【請求項２】
前記表示制御部は、前記テキスト単位を特定する特定情報を、前記複数のテキスト単位のそれぞれに対応付けて、前記表示装置に表示し、
前記特定部は、前記入力装置が複数の前記特定情報のうち何れかの特定情報を指定する操作を検出した場合、検出された特定情報に対応するテキスト単位を修正対象として特定する、
請求項１記載のテキスト修正装置。
【請求項３】
前記表示制御部は、前記音声データが再生される場合、前記音声データに対応する前記複数のテキスト単位のうち再生中のテキスト単位より所定数前のテキスト単位を操作可能な状態で表示する制御を行い、
前記所定数前のテキスト単位に対する前記入力装置からの操作が検出されると、前記特定部は、検出された所定数前のテキスト単位を修正対象として特定する、
請求項１または２記載のテキスト修正装置。
【請求項４】
前記表示制御部は、前記修正対象のテキスト単位の前記表示装置における表示態様を変更する、
請求項１乃至３のうち何れか１項に記載のテキスト修正装置。
【請求項５】
前記修正部は、前記複数のテキスト単位のうち指定されたテキスト単位を、上書き修正して前記文章データに反映させる、
請求項１乃至４のうち何れか１項に記載のテキスト修正装置。
【請求項６】
前記テキスト修正装置はさらに、
過去の複数のテキスト単位の並び順を入力として機械学習が行なわれた学習済みモデルに基づいて、前記文章データの前記複数のテキスト単位から、修正対象のテキスト単位の修正候補を推定する修正候補推定部、を備え、
前記表示制御部は、前記修正対象のテキスト単位と対応付けて、前記修正候補を前記表示装置に表示する、
請求項１乃至５のうち何れか１項に記載のテキスト修正装置。
【請求項７】
前記テキスト修正装置はさらに、
前記複数のテキスト単位のうち前記入力装置からの指定を受け付けたテキスト単位に対応する前記音声データを含む前後の所定数のテキスト単位に対応する音声を繰り返し再生する制御を行う音声再生制御部、
を備える請求項１乃至６のうち何れか１項に記載のテキスト修正装置。
【請求項８】
前記音声再生制御部は、前記音声を繰り返し再生する制御を行う際に、再生速度を低速にする、
請求項７記載のテキスト修正装置。
【請求項９】
前記テキスト単位は単語単位または語句単位である請求項１乃至８のうち何れか１項に記載のテキスト修正装置。
【請求項１０】
テキスト修正装置によるテキスト修正方法において、
前記テキスト修正装置が有する分割部が、音声データに基づいて認識された文章データを複数のテキスト単位に分割し、
前記テキスト修正装置が有する特定部が、分割された前記複数のテキスト単位のうち、何れかのテキスト単位の指定が入力装置を介して入力された場合、指定されたテキスト単位を修正対象として特定し、
前記テキスト修正装置が有する制御部が、前記指定されたテキスト単位を修正可能な状態で表示装置に表示し、
前記テキスト修正装置が有する修正部が、前記指定されたテキスト単位に対する修正を前記文章データに反映する、
テキスト修正方法。
【請求項１１】
テキスト修正装置のテキスト修正プログラムにおいて、
前記テキスト修正装置が有する分割部に、音声データに基づいて認識された文章データを複数のテキスト単位に分割させ、
前記テキスト修正装置が有する特定部に、分割された前記複数のテキスト単位のうち、何れかのテキスト単位の指定が入力装置を介して入力された場合、指定されたテキスト単位を修正対象として特定させ、
前記テキスト修正装置が有する制御部に、前記指定されたテキスト単位を修正可能な状態で表示装置に表示させ、
前記テキスト修正装置が有する修正部に、前記指定されたテキスト単位に対する修正を前記文章データに反映させる、
テキスト修正プログラム。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
光源から発せられた照明光を標本に照射する対物レンズと、
該対物レンズにより照射される前記照明光を前記標本上で走査させる走査部と、
球面収差を補正する補正機構と、
前記標本と前記対物レンズとの相対位置、および、前記照明光または前記標本からの観察光の波長を操作者が入力する入力部と、
前記波長ごとに、前記相対位置と前記補正機構の所定の設定値との関係を示す関数を記憶する記憶部と、
前記補正機構を制御する制御装置とを備え、
前記所定の設定値が、前記相対位置および前記波長に応じて生じる前記球面収差を前記補正機構によって補正した状態にあるときの前記補正機構の設定値であり、
前記制御装置が、前記照明光の前記波長の切り替えおよび前記走査部の動作の少なくとも一方に同期して、前記記憶部に記憶されている前記関数に基づいて、前記入力部により入力された前記相対位置および前記波長に対応する前記所定の設定値を算出し、算出した該所定の設定値に従って前記補正機構を制御する顕微鏡システム。
【請求項２】
前記対物レンズが、光軸方向に移動可能な１または複数の光学系を内部に有し、
前記補正機構が、前記対物レンズに光軸回りに回転可能に取り付けられ、前記光軸回りの回転角に応じて１または複数の前記光学系を前記光軸方向に移動させる補正環を備え、
前記所定の設定値が、前記補正環の前記光軸回りの回転角を示す請求項１に記載の顕微鏡システム。
【請求項３】
前記所定の設定値が、前記標本の画像に対してコントラスト評価法または明るさ評価法を用いて算出される評価値が最大となるときの前記補正機構の設定値である請求項１または請求項２に記載の顕微鏡システム。
【請求項４】
前記制御装置が、前記波長ごとに、互いに異なる複数の前記相対位置と各該相対位置に対応する前記所定の設定値との複数の組み合わせに基づいて、補間によって前記関数を算出する関数算出部を備え、
前記記憶部が、前記関数算出部によって算出された前記関数を記憶する請求項１から請求項３のいずれかに記載の顕微鏡システム。
【請求項５】
前記制御装置が、前記照明光の前記波長の切り替え、前記相対位置の調整および前記走査部の動作に同期して、前記補正機構を制御する請求項１から請求項４のいずれかに記載の顕微鏡システム。
【手続補正書】
【提出日】令和2年8月14日(2020.8.14)
【手続補正１】
【補正対象書類名】特許請求の範囲
【補正対象項目名】全文
【補正方法】変更
【補正の内容】
【特許請求の範囲】
【請求項１】
認証された携帯端末が送信した信号に基づいて、車両が一時的な解錠を行うシステムにおける施解錠監視方法であって、
第一の装置が、
前記携帯端末による車両の施解錠の状態を取得し、
前記車両が前記携帯端末から送信された前記信号に基づいて解錠を行ってから、第一のタイミングまでの間に前記車両が施錠されなかった場合に、前記車両に関連付いた第二の装置へ通知を行う、
施解錠監視方法。
【請求項２】
前記第二の装置は、前記車両の管理者が所持する端末である、
請求項１に記載の施解錠監視方法。
【請求項３】
認証された携帯端末が送信した信号に基づいて、車両が一時的な解錠を行うシステムにおける施解錠監視方法であって、
第一の装置が、
前記携帯端末による車両の施解錠の状態を取得し、
前記車両が前記携帯端末から送信された前記信号に基づいて解錠を行ってから、第一のタイミングまでの間に前記車両が施錠されなかった場合に、第二の装置へ通知を行い、
前記通知を受信した前記第二の装置が、前記車両と通信を行うことで前記車両に施錠を行わせる、
施解錠監視方法。
【請求項４】
前記車両は、前記第二の装置と通信を行うための無線通信モジュールを備え、
前記第二の装置は、前記無線通信モジュールを介して前記車両に施錠命令を送信する、
請求項３に記載の施解錠監視方法。
【請求項５】
前記第二の装置は、無線通信によって前記車両を遠隔管理するサーバ装置である、
請求項１から４のいずれか１項に記載の施解錠監視方法。
【請求項６】
前記第一のタイミングは、前記車両が前記信号を受け付ける期限に基づいて予め設定さ
れたタイミングである、
請求項１から５のいずれか１項に記載の施解錠監視方法。
【手続補正２】
【補正対象書類名】明細書
【補正対象項目名】発明の名称
【補正方法】変更
【補正の内容】
【発明の名称】施解錠監視方法
【手続補正書】
【提出日】令和2年7月10日(2020.7.10)
【手続補正１】
【補正対象書類名】明細書
【補正対象項目名】０００６
【補正方法】変更
【補正の内容】
【０００６】
しかしながら、前述したように、実際の運転では、定常状態で運転される領域は少なく、過渡状態で運転される領域が多い。また、定常状態と過渡状態とを区別する基準の明確化も困難である。そこで本発明は、過渡状態時においても適用可能な燃焼状態検出方法を提供することを目的とする。
【手続補正２】
【補正対象書類名】明細書
【補正対象項目名】００３３
【補正方法】変更
【補正の内容】
【００３３】
燃焼エネルギ算出部２１０は、クランク角センサ１０３１の出力信号の立ち下がりのタイミング毎に、気筒１０２ごとの筒内圧Ｐｃｙｌを筒内圧センサ１１３で検出し、クランク角度θの変化から気筒１０２内の体積Ｖの増加量ΔＶを算出する。そして、燃焼エネルギ算出部２１０は、筒内圧Ｐｃｙｌと気筒１０２内の体積Ｖの増加量ΔＶとの積を、一つ前のクランク角センサ１０３１の出力信号の立ち下がりのタイミングで算出した仕事量Ｗ＿ｏｌｄに加算することで、クランク角センサ１０３１の出力信号の立ち下がりのタイミング毎に燃焼エネルギを算出する。
【手続補正３】
【補正対象書類名】明細書
【補正対象項目名】００４０
【補正方法】変更
【補正の内容】
【００４０】
なお、前述した数式７により算出された差分εの合計値の代わりに、下記の数式８〜数式１０に基づいて算出された値に基づいて、内燃機関１００の燃焼安定性を判断（評価）してもよい。ここで数式８の偏差ρは上記した複数回の燃焼サイクルにおける燃焼エネルギＷ＿ｔの変化の傾向Ｔｒからの差分εの二乗の合計値（数式７）をその燃焼サイクル数Ｔで割り、さらにこれの平方根を取ったものである。また数式９の平均値μは、上記した複数回の燃焼サイクルにおける燃焼エネルギＷ＿ｔの合計値を算出し、この算出した合計値をその燃焼サイクル数Ｔで割ったものである。そして、数式１０のＮｅｗ＿ｃＰｉは数式８の差分εの分布の指標値ρを数式９の平均値μで割ったものである。この数式１０のＮｅｗ＿ｃＰｉに対し、燃焼安定性を判断するための設定閾値を設定することでも本発明の実現が可能である。
この場合、燃焼安定性判断部２５０は数式１０のＮｅｗ＿ｃＰｉと予め設定された設定閾値とを比較する。そして燃焼安定性判断部２５０は、Ｎｅｗ＿ｃＰｉが設定閾値以下の場合には、その複数回の燃焼サイクルにおいて燃焼が安定していると判断し、逆にＮｅｗ＿ｃＰｉが設定閾値を超えた場合には、燃焼が不安定となっていると判断する。
【数８】
2019148200.tif 000001
【数９】
2019148200.tif 000002
【数１０】
2019148200.tif 000003
上記したように図１０は、図５のＩＭＥＰの時系列に対応して、数式８〜１０を用いて求めたＮｅｗ＿ｃＰｉをプロットしたグラフを示している。このように本実施形態によれば、過渡状態で、かつ燃焼状態が安定している８０〜１８０サイクルの期間において、燃焼エネルギＷ＿ｔのＮｅｗ＿ｃＰｉが小さく燃焼状態が安定していると正しく判断することができる。したがって、本実施形態によれば、過渡状態においても燃焼安定性を正確に判断することが可能である。
［第２の実施の形態］
以下、本発明の第２の実施形態について図面を用いて説明する。実施形態１で説明した数式２、又は図６で説明したパラメータｃＰｉは、図７又は図８で説明したように平均値μからの差分の分布の指標値ρを平均値μで割ったものを示した。つまり、数式２、図６、図７又は図８においては、下記の数式１１により算出された値に基づいて、燃焼安定性が評価されていた。この数式１１は、複数回の燃焼サイクルにおける各燃焼サイクルごとに算出した燃焼エネルギＷ＿ｔの、複数回の燃焼サイクルの燃焼エネルギの平均値μからの差分を求め、これを二乗したものの燃焼サイクル数Ｔでの合計値を示す。つまり、平均値μからの差分であるため、燃焼エネルギＷ＿ｔの変化の傾向Ｔｒについては考慮されていないものであった。
【数１１】
2019148200.tif 000004
【手続補正４】
【補正対象書類名】明細書
【補正対象項目名】００４５
【補正方法】変更
【補正の内容】
【００４５】
［制御装置による判断方法］
まず図１４のステップＳ５０１において、燃焼エネルギ算出部４１０は、クランク角センサ１０３１で検出したクランク軸１０３のクランク角度θ（回転角度）に基づいて、ピストン１０４が吸気行程のＴＤＣの位置にいる場合に、燃焼エネルギの算出を開始する。この燃焼エネルギ算出部４１０による燃焼エネルギの算出方法は、実施形態１の燃焼エネルギ算出部２１０による燃焼エネルギの算出方法と同じであるため（図１２のステップＳ３０１参照）、詳細な説明は省略する。
【手続補正５】
【補正対象書類名】明細書
【補正対象項目名】００５２
【補正方法】変更
【補正の内容】
【００５２】
［制御装置による判断方法］
以下、本実施形態の制御装置１Ｂによる突発的な燃焼の変化の判断方法を説明する。図１７は、制御装置１Ｂによる燃焼状態の判断方法のフローチャートである。まず、ステップＳ７０１において、燃焼エネルギ算出部６１０は、クランク角センサ１０３１で検出したクランク軸１０３のクランク角度θ（回転角度）に基づいて、ピストン１０４が吸気行程のＴＤＣの位置にいる場合に、燃焼エネルギの算出を開始する。この燃焼エネルギ算出部６１０による燃焼エネルギの算出方法は、実施形態１、２と同様であるため、説明を省略する。
【手続補正６】
【補正対象書類名】図面
【補正対象項目名】図６
【補正方法】変更
【補正の内容】
【図６】
2019148200.tif 000005
【手続補正７】
【補正対象書類名】図面
【補正対象項目名】図１０
【補正方法】変更
【補正の内容】
【図１０】
2019148200.tif 000006
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
遊技媒体が転動可能な遊技領域と、遊技媒体が転動不能な非遊技領域と、を区画する区画部材が設けられたセンター部材が遊技パネルに取り付けられる遊技機であって、
前記センター部材に設けられた前記区画部材によって区画された前記遊技領域側を正面視して視認可能とされるデザインと、前記センター部材に設けられた前記区画部材によって区画された前記非遊技領域側を正面視して視認可能とされるデザインが、略面一で統一性を有するデザインとされており、
前記略面一で統一性を有するデザインよりも奥側に所定の装飾が施された奥側装飾部材が設けられており、当該所定の装飾は前記遊技媒体が転動可能な遊技領域を介して視認可能とされており、
第１位置から第２位置へと移動可能な可動体が設けられており、前記可動体が前記第１位置から第２位置へ移動したとしても、前記略面一で統一性を有するデザインとは重ならないようになされている
ことを特徴とする遊技機。
【手続補正２】
【補正対象書類名】明細書
【補正対象項目名】０００６
【補正方法】変更
【補正の内容】
【０００６】
上記のように、視覚面から遊技の興趣を高める工夫がなされているものの、まだまだ視覚面の工夫が施された遊技機を望む声も少なからず存在する。
【手続補正３】
【補正対象書類名】明細書
【補正対象項目名】０００７
【補正方法】変更
【補正の内容】
【０００７】
本発明は、上記に鑑みなされたもので、その目的は、視覚面の工夫が施された遊技機を提供することにある。
【手続補正４】
【補正対象書類名】明細書
【補正対象項目名】０００８
【補正方法】変更
【補正の内容】
【０００８】
上記の目的を達成するため本発明は、遊技媒体が転動可能な遊技領域と、遊技媒体が転動不能な非遊技領域と、を区画する区画部材が設けられたセンター部材が遊技パネルに取り付けられる遊技機であって、前記センター部材に設けられた前記区画部材によって区画された前記遊技領域側を正面視して視認可能とされるデザインと、前記センター部材に設けられた前記区画部材によって区画された前記非遊技領域側を正面視して視認可能とされるデザインが、略面一で統一性を有するデザインとされており、前記略面一で統一性を有するデザインよりも奥側に所定の装飾が施された奥側装飾部材が設けられており、当該所定の装飾は前記遊技媒体が転動可能な遊技領域を介して視認可能とされており、第１位置から第２位置へと移動可能な可動体が設けられており、前記可動体が前記第１位置から第２位置へ移動したとしても、前記略面一で統一性を有するデザインとは重ならないようになされていることを特徴とする遊技機。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明の遊技機によれば、視覚面の工夫が施された遊技機を提供することができる。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
遊技の進行を制御する遊技制御手段と、
演出を制御する演出制御手段と、
第１表示結果と第２表示結果とを含む複数種類の表示結果のうちから導出を許容する表示結果を決定する事前決定手段と、
遊技者が表示結果を導出させるために操作する導出操作手段と、
前記事前決定手段の決定結果および前記導出操作手段の操作に応じて、表示結果を導出する制御を行う導出制御手段とを備え、
前記導出制御手段は、
前記事前決定手段の決定結果が第１決定結果であるときにおいて、前記第１決定結果に対応する手順で前記導出操作手段が操作されたときには前記第１表示結果を導出する一方、前記第１決定結果に対応する手順と異なる手順で前記導出操作手段が操作されたときには前記第１表示結果よりも有利度合いが低い表示結果を導出し、
前記事前決定手段の決定結果が第２決定結果であるときにおいて、前記第２決定結果に対応する手順で前記導出操作手段が操作されたときには前記第２表示結果を導出する一方、前記第２決定結果に対応する手順と異なる手順で前記導出操作手段が操作されたときには前記第２表示結果よりも有利度合いが低い表示結果を導出し、
前記第１決定結果に対応する手順と前記第２決定結果に対応する手順とは、同じ特定手順を含み、
前記遊技制御手段は、前記導出制御手段の操作態様を特定可能な情報を報知可能な第１報知手段を含み、
前記演出制御手段は、前記導出制御手段の操作態様を特定可能な情報を報知可能な第２報知手段を含み、
前記第１報知手段は、前記事前決定手段の決定結果が前記第１決定結果および前記第２決定結果のいずれであっても、前記特定手順を特定可能な情報を共通の態様で報知可能であり、
前記第２報知手段は、前記事前決定手段の決定結果が前記第１決定結果および前記第２決定結果のいずれであっても、前記特定手順を特定可能な情報を共通の態様で報知可能であり、
前記第１報知手段と前記第２報知手段とで前記特定手順を特定可能な情報の報知を開始するタイミングが異なり、
前記遊技制御手段は、前記可変表示部の変動表示が開始した後、有効化条件が成立するまで前記導出操作手段の操作を有効化せずに有効化条件が成立したときに前記導出操作手段の操作を有効化する導出操作有効化手段を含み、
前記導出操作有効化手段は、前記導出操作手段の操作が有効化された状態で電力供給が停止された後、電力供給が再開されたときに、電力供給の再開後に改めて有効化条件が成立するまで前記導出操作手段の操作を有効化せず、
前記第１報知手段は、前記導出操作手段の操作が有効化された状態、かつ前記導出制御手段の操作態様を特定可能な情報の報知を行っている状態で電力供給が停止された後、電力供給が再開されたときに、前記導出操作手段の操作が有効化されるよりも早いタイミングで前記導出制御手段の操作態様を特定可能な情報の報知を再開する、スロットマシン。
【手続補正２】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
遊技の進行を制御する遊技制御手段（たとえば、メイン制御部４１）と、
演出を制御する演出制御手段と、
第１表示結果と第２表示結果とを含む複数種類の表示結果のうちから導出を許容する表示結果を決定する事前決定手段（たとえば、内部抽選処理）と、
遊技者が表示結果を導出させるために操作する導出操作手段（たとえば、ストップスイッチ８Ｌ〜８Ｒ）と、
前記事前決定手段の決定結果および前記導出操作手段の操作に応じて、表示結果を導出する制御を行う導出制御手段（たとえば、リール回転処理）とを備え、
前記導出制御手段は、
前記事前決定手段の決定結果が第１決定結果（たとえば、左ベル１など）であるときにおいて、前記第１決定結果に対応する手順（たとえば、左第１停止）で前記導出操作手段が操作されたときには前記第１表示結果（たとえば、右下がりベル）を導出する一方、前記第１決定結果に対応する手順と異なる手順で前記導出操作手段が操作されたときには前記第１表示結果よりも有利度合いが低い表示結果（たとえば、上段ベル）を導出し、
前記事前決定手段の決定結果が第２決定結果（たとえば、リプレイＧＲ１など）であるときにおいて、前記第２決定結果に対応する手順（たとえば、左第１停止）で前記導出操作手段が操作されたときには前記第２表示結果（たとえば、昇格リプレイ１）を導出する一方、前記第２決定結果に対応する手順と異なる手順で前記導出操作手段が操作されたときには前記第２表示結果よりも有利度合いが低い表示結果（たとえば、通常リプレイ）を導出し、
前記第１決定結果に対応する手順と前記第２決定結果に対応する手順とは、同じ特定手順を含み、
前記遊技制御手段は、前記導出制御手段の操作態様を特定可能な情報を報知可能な第１報知手段を含み、
前記演出制御手段は、前記導出制御手段の操作態様を特定可能な情報を報知可能な第２報知手段を含み、
前記第１報知手段は、前記事前決定手段の決定結果が前記第１決定結果および前記第２決定結果のいずれであっても、前記特定手順を特定可能な情報を共通の態様で報知可能であり（たとえば、図１６の遊技補助表示器の表示例参照）、
前記第２報知手段は、前記事前決定手段の決定結果が前記第１決定結果および前記第２決定結果のいずれであっても、前記特定手順を特定可能な情報を共通の態様で報知可能であり、
前記第１報知手段と前記第２報知手段とで前記特定手順を特定可能な情報の報知を開始するタイミングが異なり、
前記遊技制御手段は、前記可変表示部の変動表示が開始した後、有効化条件が成立するまで前記導出操作手段の操作を有効化せずに有効化条件が成立したときに前記導出操作手段の操作を有効化する導出操作有効化手段を含み、
前記導出操作有効化手段は、前記導出操作手段の操作が有効化された状態で電力供給が停止された後、電力供給が再開されたときに、電力供給の再開後に改めて有効化条件が成立するまで前記導出操作手段の操作を有効化せず、
前記第１報知手段は、前記導出操作手段の操作が有効化された状態、かつ前記導出制御手段の操作態様を特定可能な情報の報知を行っている状態で電力供給が停止された後、電力供給が再開されたときに、前記導出操作手段の操作が有効化されるよりも早いタイミングで前記導出制御手段の操作態様を特定可能な情報の報知を再開する。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
遊技を行う遊技機において、
第１制御手段と、
前記第１制御手段から受信した制御情報に応じて制御を行う第２制御手段と、
を備え、
前記第１制御手段は、
制御情報を生成し、制御情報格納領域に格納する制御情報生成手段と、
前記制御情報格納領域に格納された制御情報を前記第２制御手段に対して送信する制御情報送信手段と、
を含み、
前記制御情報生成手段は、１単位の遊技である単位遊技における第１タイミングと第２タイミングを含む複数のタイミング毎に前記第１制御手段の制御状態を特定可能な複数種類の状態制御情報を生成する状態制御情報生成手段を含み、
前記状態制御情報生成手段が一のタイミングにおいて生成する複数種類の状態制御情報は、一の単位遊技と他の単位遊技で変化し得る制御状態であって、一の単位遊技における第１タイミングと第２タイミングで変化しない制御状態を特定可能な第１状態制御情報と、一の単位遊技における第１タイミングと第２タイミングで変化し得る制御状態を特定可能な第２状態制御情報と、を含み、
前記状態制御情報生成手段は、複数のタイミングのうちいずれのタイミングにおいても、共通する複数種類の状態制御情報を、共通の制御にて生成し、
前記遊技機は、データの読み出し及び書き込みが可能なデータ記憶手段を備え、
前記第１制御手段は、第１プログラムにより遊技に関連する処理を行い、第２プログラムに基づいて異常の判定に関する処理を行い、
前記データ記憶手段の記憶領域は、前記第１プログラムに用いられる第１記憶領域と、
前記第２プログラムに用いられる第２記憶領域と、を含み、
前記第１記憶領域と前記第２記憶領域が連続しないように前記第１記憶領域と前記第２記憶領域の間に未使用領域を有し、
前記第２プログラムによる前記第１記憶領域のデータの参照は可能であるが、前記第２プログラムによる前記第１記憶領域のデータの更新は規制される、遊技機。
【手続補正２】
【補正対象書類名】明細書
【補正対象項目名】０００６
【補正方法】変更
【補正の内容】
【０００６】
（１）遊技を行う遊技機において、
第１制御手段と、
前記第１制御手段から受信した制御情報に応じて制御を行う第２制御手段と、
を備え、
前記第１制御手段は、
制御情報を生成し、制御情報格納領域に格納する制御情報生成手段と、
前記制御情報格納領域に格納された制御情報を前記第２制御手段に対して送信する制御情報送信手段と、
を含み、
前記制御情報生成手段は、１単位の遊技である単位遊技における第１タイミングと第２タイミングを含む複数のタイミング毎に前記第１制御手段の制御状態を特定可能な複数種類の状態制御情報を生成する状態制御情報生成手段を含み、
前記状態制御情報生成手段が一のタイミングにおいて生成する複数種類の状態制御情報は、一の単位遊技と他の単位遊技で変化し得る制御状態であって、一の単位遊技における第１タイミングと第２タイミングで変化しない制御状態を特定可能な第１状態制御情報と、一の単位遊技における第１タイミングと第２タイミングで変化し得る制御状態を特定可能な第２状態制御情報と、を含み、
前記状態制御情報生成手段は、複数のタイミングのうちいずれのタイミングにおいても、共通する複数種類の状態制御情報を、共通の制御にて生成し、
前記遊技機は、データの読み出し及び書き込みが可能なデータ記憶手段を備え、
前記第１制御手段は、第１プログラムにより遊技に関連する処理を行い、第２プログラムに基づいて異常の判定に関する処理を行い、
前記データ記憶手段の記憶領域は、前記第１プログラムに用いられる第１記憶領域と、
前記第２プログラムに用いられる第２記憶領域と、を含み、
前記第１記憶領域と前記第２記憶領域が連続しないように前記第１記憶領域と前記第２記憶領域の間に未使用領域を有し、
前記第２プログラムによる前記第１記憶領域のデータの参照は可能であるが、前記第２プログラムによる前記第１記憶領域のデータの更新は規制される。
手段１の遊技機は、
遊技を行う遊技機（スロットマシン１）において、
第１の制御手段（メイン制御部４１）と、
前記第１の制御手段から受信した制御情報に応じて制御を行う第２の制御手段（サブ制御部９１）と、
を備え、
前記第１の制御手段（メイン制御部４１）は、１単位の遊技（ゲーム）における第１のタイミング（ゲームの開始時）と第２のタイミング（ゲームの終了時）を含む複数のタイミング毎に前記第１の制御手段（メイン制御部４１）の制御状態を特定可能な複数種類の状態制御情報（制御状態コマンド）を前記第２の制御手段（サブ制御部９１）に対して送信する状態制御情報送信手段を含み、
前記状態制御情報送信手段が一のタイミングにおいて送信する複数種類の状態制御情報（制御状態コマンド）は、第１のタイミング（ゲームの開始時）と第２のタイミング（ゲームの終了時）で変化しない制御状態（例えば、遊技者にとって有利な停止順等）を特定可能な第１の状態制御情報（制御状態コマンド２）と、第１のタイミング（ゲームの開始時）と第２のタイミング（ゲームの終了時）で変化し得る制御状態（例えば、遊技状態等）を特定可能な第２の状態制御情報（制御状態コマンド１）と、を含み、
前記状態制御情報送信手段は、複数のタイミングのうちいずれのタイミングにおいても共通の制御（制御状態コマンド一括設定処理）にて複数種類の状態制御情報（制御状態コマンド）を送信する
ことを特徴としている。
この特徴によれば、１単位の遊技における第１のタイミングと第２のタイミングで変化しない制御状態を特定可能な第１の状態制御情報と、１単位の遊技における第１のタイミングと第２のタイミングで変化し得る制御状態を特定可能な第２の状態制御情報と、を含む複数種類の状態制御情報を、１単位の遊技における第１のタイミングと第２のタイミングを含む複数のタイミング毎に送信する構成において、いずれのタイミングにおいても共通の制御にてこれら複数種類の状態制御情報を送信するので、第２の制御手段側で第１の制御手段の制御状態を詳細に把握しつつ、第１の制御手段が状態制御情報を送信する際のプログラム容量を削減することができる。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
遊技区間として、ストップスイッチの有利な操作態様の報知を行わない第１区間と、ストップスイッチの有利な操作態様の報知を行うことができる第２区間と、
を有し、
第２区間において実行された遊技回数を把握するためのカウンタと、
遊技制御手段と、
第２区間において点灯可能なＬＥＤと、
を備え、
前記カウンタの値は、第２区間での遊技の実行ごとに「１」ずつ更新され、
前記遊技制御手段は、
第２区間での遊技において、前記カウンタの値が所定の値になったときは、第２区間を終了するとともに次遊技は第１区間での遊技となるよう制御し、
特別図柄組合せが停止表示したことに基づいて特別遊技状態を開始し、
第２区間、且つ、前記特別遊技状態である遊技において、前記特別遊技状態の終了条件を満たさず、且つ、前記カウンタの値が前記所定の値になったときは、次遊技は、第１区間、且つ、前記特別遊技状態の遊技となるよう制御する
ことを特徴とするスロットマシン。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明は、遊技者の射幸心を著しく煽ってしまうことがないスロットマシンを提供することを目的としている。
【手続補正４】
【補正対象書類名】明細書
【補正対象項目名】０００８
【補正方法】変更
【補正の内容】
【０００８】
上述した課題を解決するために、本発明は、
遊技区間として、ストップスイッチの有利な操作態様の報知を行わない第１区間と、ストップスイッチの有利な操作態様の報知を行うことができる第２区間と、
を有し、
第２区間において実行された遊技回数を把握するためのカウンタと、
遊技制御手段と、
第２区間において点灯可能なＬＥＤと、
を備え、
前記カウンタの値は、第２区間での遊技の実行ごとに「１」ずつ更新され、
前記遊技制御手段は、
第２区間での遊技において、前記カウンタの値が所定の値になったときは、第２区間を終了するとともに次遊技は第１区間での遊技となるよう制御し、
特別図柄組合せが停止表示したことに基づいて特別遊技状態を開始し、
第２区間、且つ、前記特別遊技状態である遊技において、前記特別遊技状態の終了条件を満たさず、且つ、前記カウンタの値が前記所定の値になったときは、次遊技は、第１区間、且つ、前記特別遊技状態の遊技となるよう制御する
ことを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
上述した発明によれば、第２区間で行われた遊技回数が上限（カウンタの値が所定の値）になると、第２区間から第１区間への移行が行われるので、１回の第２区間中に付与される遊技媒体の量を適正な値に抑制することが可能となり、遊技者の射幸心を著しく煽ってしまうことがない。
【手続補正７】
【補正対象書類名】明細書
【補正対象項目名】００１１
【補正方法】変更
【補正の内容】
【００１１】
以上のように、本発明のスロットマシンによれば、遊技者の射幸心を著しく煽ってしまうことがない。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
遊技区間として、ストップスイッチの有利な操作態様の報知を行わない第１区間と、ストップスイッチの有利な操作態様の報知を行うことができる第２区間と、
を有し、
第１区間から第２区間へ移行するか否かを決定する移行抽選を行う移行抽選手段と、
第２区間において実行された遊技回数を把握するためのカウンタと、
遊技制御手段と、
第２区間において点灯可能なＬＥＤと、
を備え、
前記遊技制御手段は、
前記移行抽選により第２区間へ移行することが決定されたときは、全リールが停止した後の所定のタイミングまでに前記ＬＥＤを点灯させ、
第２区間での遊技において、前記カウンタの値が所定の値になったときは、第２区間を終了するとともに次遊技は第１区間での遊技となるよう制御し、
特別図柄組合せが停止表示したことに基づいて特別遊技状態を開始し、
第２区間、且つ、前記特別遊技状態である遊技において、前記特別遊技状態の終了条件を満たさず、且つ、前記カウンタの値が前記所定の値になったときは、次遊技は、第１区間、且つ、前記特別遊技状態の遊技となるよう制御する
ことを特徴とするスロットマシン。
【手続補正２】
【補正対象書類名】明細書
【補正対象項目名】０００６
【補正方法】変更
【補正の内容】
【０００６】
従来のスロットマシンの中には、ストップスイッチの押し順（および／または操作タイミング）を報知可能なＡＴ遊技を実行するか否かをＡＴ抽選によって決定し、ＡＴ抽選に当選した場合は、ＡＴ遊技を行うことができる遊技回数（初期遊技回数）を抽選等によって決定するものがあった。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明は、過剰な量の遊技媒体が付与される虞を少なくすることができるスロットマシンを提供することを目的としている。
【手続補正６】
【補正対象書類名】明細書
【補正対象項目名】００１０
【補正方法】変更
【補正の内容】
【００１０】
上述した課題を解決するために、本発明は、
遊技区間として、ストップスイッチの有利な操作態様の報知を行わない第１区間と、ストップスイッチの有利な操作態様の報知を行うことができる第２区間と、
を有し、
第１区間から第２区間へ移行するか否かを決定する移行抽選を行う移行抽選手段と、
第２区間において実行された遊技回数を把握するためのカウンタと、
遊技制御手段と、
第２区間において点灯可能なＬＥＤと、
を備え、
前記遊技制御手段は、
前記移行抽選により第２区間へ移行することが決定されたときは、全リールが停止した後の所定のタイミングまでに前記ＬＥＤを点灯させ、
第２区間での遊技において、前記カウンタの値が所定の値になったときは、第２区間を終了するとともに次遊技は第１区間での遊技となるよう制御し、
特別図柄組合せが停止表示したことに基づいて特別遊技状態を開始し、
第２区間、且つ、前記特別遊技状態である遊技において、前記特別遊技状態の終了条件を満たさず、且つ、前記カウンタの値が前記所定の値になったときは、次遊技は、第１区間、且つ、前記特別遊技状態の遊技となるよう制御する
ことを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
上述した発明によれば、第２区間で行われた遊技回数が上限（カウンタの値が所定の値）になると、第２区間から第１区間への移行が行われるので、１回の第２区間中に付与される遊技媒体の量を適正な値に抑制することが可能となり、過剰な量の遊技媒体が付与される虞を少なくすることができる。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
以上のように、本発明のスロットマシンによれば、過剰な量の遊技媒体が付与される虞を少なくすることができる。
【手続補正書】
【提出日】令和2年6月1日(2020.6.1)
【手続補正１】
【補正対象書類名】特許請求の範囲
【補正対象項目名】全文
【補正方法】変更
【補正の内容】
【特許請求の範囲】
【請求項１】
遊技区間として、ストップスイッチの有利な操作態様の報知を行わない第１区間と、ストップスイッチの有利な操作態様の報知を行うことができる第２区間と、を有し、
所定の記憶領域を有する所定の記憶手段を備え、
第２区間での遊技の実行に応じて前記所定の記憶領域の値を更新可能とし、
前記所定の記憶領域に記憶されている値が所定条件を満たした場合は、第２区間を終了し、次遊技は第１区間での遊技となるよう構成され、
第２区間において、所定の遊技状態を実行可能とし、
前記所定の遊技状態を実行している状況において、前記所定の記憶領域に記憶されている値が特定条件を満たした場合は、特別演出を実行可能とし、
特別図柄組合せが停止表示したことに基づいて特別遊技状態を開始可能とし、
第２区間、且つ、前記特別遊技状態である遊技において、前記特別遊技状態の終了条件を満たさず、且つ、前記所定の記憶領域の値が前記所定の条件を満たしたときは、次遊技は、第１区間、且つ、前記特別遊技状態の遊技となるよう構成される
ことを特徴とするスロットマシン。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
本発明は、遊技者の射幸心を著しく煽ってしまうことがないスロットマシンを提供することを目的としている。
【手続補正５】
【補正対象書類名】明細書
【補正対象項目名】０００９
【補正方法】変更
【補正の内容】
【０００９】
上述した課題を解決するために、本発明は、
遊技区間として、ストップスイッチの有利な操作態様の報知を行わない第１区間と、ストップスイッチの有利な操作態様の報知を行うことができる第２区間と、を有し、
所定の記憶領域を有する所定の記憶手段を備え、
第２区間での遊技の実行に応じて前記所定の記憶領域の値を更新可能とし、
前記所定の記憶領域に記憶されている値が所定条件を満たした場合は、第２区間を終了し、次遊技は第１区間での遊技となるよう構成され、
第２区間において、所定の遊技状態を実行可能とし、
前記所定の遊技状態を実行している状況において、前記所定の記憶領域に記憶されている値が特定条件を満たした場合は、特別演出を実行可能とし、
特別図柄組合せが停止表示したことに基づいて特別遊技状態を開始可能とし、
第２区間、且つ、前記特別遊技状態である遊技において、前記特別遊技状態の終了条件を満たさず、且つ、前記所定の記憶領域の値が前記所定の条件を満たしたときは、次遊技は、第１区間、且つ、前記特別遊技状態の遊技となるよう構成される
ことを特徴とする。
【手続補正６】
【補正対象書類名】明細書
【補正対象項目名】００１０
【補正方法】変更
【補正の内容】
【００１０】
ここで、「有利な操作態様」には、例えば、複数の小役が重複して当選したときに、最もメダル払出枚数の多い小役が入賞する操作態様、所定の当選役の当選確率が高くなる抽選状態へ移行することができる図柄組合せが停止表示される操作態様、所定の当選役の当選確率が低くなる抽選状態へ移行してしまう図柄組合せが停止表示されるのを回避できる操作態様などがある。また、「操作態様の報知」には、ストップスイッチの押し順を報知するものや、いわゆる目押しする図柄を示すことによってストップスイッチの操作タイミングを報知するものが含まれる。
【手続補正７】
【補正対象書類名】明細書
【補正対象項目名】００１１
【補正方法】変更
【補正の内容】
【００１１】
上述した発明によれば、第２区間における遊技の実行に伴って更新される所定の記憶領域の値が、所定条件を満たすと第２区間から第１区間への移行が行われるので、有利な操作態様が報知され得る第２区間での遊技を適度に抑制することが可能となり、遊技者の射幸心を著しく煽ってしまうことがない。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
以上のように、本発明のスロットマシンによれば、遊技者の射幸心を著しく煽ってしまうことがない。
【手続補正書】
【提出日】令和2年10月13日(2020.10.13)
【手続補正１】
【補正対象書類名】特許請求の範囲
【補正対象項目名】全文
【補正方法】変更
【補正の内容】
【特許請求の範囲】
【請求項１】
作業負荷と、
前記作業負荷を動作させるための作業用電力を供給するＭＰＵと、
蓄電池を備える蓄電池システムと、を含む作業用台船であって、
前記ＭＰＵは、自身の発電量の一部あるいは全部を前記蓄電池システムに出力することを特徴とする作業用台船。
【請求項２】
作業負荷と、
前記作業負荷を動作させるための作業用電力を供給するＭＰＵと、
蓄電池を備える蓄電池システムと、を含む作業用台船向け電力制御システムであって、
前記ＭＰＵは、自身の発電量の一部あるいは全部を前記蓄電池システムに出力することを特徴とする作業用台船向け電力制御システム。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
遊技媒体を貯留する貯留領域を有する上皿と、操作ユニットを備えた遊技機であって、
前記操作ユニットは、所定の軸線まわりに回転操作可能で前記所定の軸線方向への押圧移動操作はされない円環形状部を有する回転操作部と、前記所定の軸線を含む位置に設けられて回転操作不能な非回転部を含み、
前記回転操作部を前記所定の軸線方向から見たときの前記回転操作部の外周縁の最大幅は、前記貯留領域の前後方向の最大寸法よりも大きいとされており、
前記回転操作部の操作を要求する要求演出を実行可能であり、
前記回転操作部を所定の方向へ回転させたとき、当該所定の方向とは反対の回転方向への力の付与が可能な反力付与手段と、
前記反力付与手段とは別に、振動を発生させる振動発生手段と、
を備え、
前記回転操作部は、前記外周縁に連続してその裏側に遊技者の手が届く空間が形成されているところに外周裏側部が位置し、
遊技者が前記非回転部に触れているか否かにかかわらず前記外周裏側部および前記非回転部に前記振動発生手段による振動が伝わるものであり、
前記反力付与手段による力の付与がされているか否かにかかわらず前記外周裏側部および前記非回転部に前記振動発生手段による振動が伝わる
ことを特徴とする遊技機。
【手続補正２】
【補正対象書類名】明細書
【補正対象項目名】０００６
【補正方法】変更
【補正の内容】
【０００６】
そこで、本発明は、上記の実情に鑑み、演出を楽しませて興趣の低下が抑制可能な遊技機の提供を課題とするものである。
【手続補正３】
【補正対象書類名】明細書
【補正対象項目名】０００７
【補正方法】変更
【補正の内容】
【０００７】
上記課題を解決するために、本願発明は、
「遊技媒体を貯留する貯留領域を有する上皿と、操作ユニットを備えた遊技機であって、
前記操作ユニットは、所定の軸線まわりに回転操作可能で前記所定の軸線方向への押圧移動操作はされない円環形状部を有する回転操作部と、前記所定の軸線を含む位置に設けられて回転操作不能な非回転部を含み、
前記回転操作部を前記所定の軸線方向から見たときの前記回転操作部の外周縁の最大幅は、前記貯留領域の前後方向の最大寸法よりも大きいとされており、
前記回転操作部の操作を要求する要求演出を実行可能であり、
前記回転操作部を所定の方向へ回転させたとき、当該所定の方向とは反対の回転方向への力の付与が可能な反力付与手段と、
前記反力付与手段とは別に、振動を発生させる振動発生手段と、
を備え、
前記回転操作部は、前記外周縁に連続してその裏側に遊技者の手が届く空間が形成されているところに外周裏側部が位置し、
遊技者が前記非回転部に触れているか否かにかかわらず前記外周裏側部および前記非回転部に前記振動発生手段による振動が伝わるものであり、
前記反力付与手段による力の付与がされているか否かにかかわらず前記外周裏側部および前記非回転部に前記振動発生手段による振動が伝わる」ことを特徴とする。
また、上記発明とは別に以下の手段を採用してもよい。
手段１：遊技機において、
「遊技が行われる遊技領域と、
正面視において該遊技領域内の中央に設けられており、演出画像を表示可能な演出表示
手段と、
正面視前記遊技領域内において、所定方向へ移動可能に設けられているベーススライダ
と、
前記演出表示手段の前方において前記ベーススライダに前後方向へ延びた軸周りに回転
可能に設けられており、所定の装飾が施されている可動装飾体と、
前記ベーススライダの近傍で前記所定方向へ前記ベーススライダよりも長い距離を移動
可能に設けられているサブスライダと、
該サブスライダに一方の端部が前後方向へ延びた軸周りに回転可能に支持されていると
共に、反対側の端部が前記可動装飾体における回転中心を通り前記所定方向へ延びた軸線
から離れている位置で前後方向へ延びた軸周りに回転可能に支持されている棒状のリンク
アームと、
前記可動装飾体における前記リンクアームを支持している部位が、前記可動装飾体にお
ける回転中心を通り前記所定方向へ延びた軸線へ接近する側への前記可動装飾体の回転を
規制しているストッパと、
前記サブスライダを前記所定方向へ移動させる駆動手段と
を具備している」ものであることを特徴とする。
【手続補正４】
【補正対象書類名】明細書
【補正対象項目名】００９０
【補正方法】変更
【補正の内容】
【００９０】
このように、本発明によれば、演出を楽しませて興趣の低下が抑制可能な遊技機を提供することができる。